(57)【要約】【課題】  吊下げられる物干し竿などを下降したとき安定的にすることができる吊下げ式昇降装置を提供すること。【解決手段】  天井に固定される固定ブラケット１２と、物干し竿の取付部１３と、固定ブラケット１２に傾斜可能に吊下げられ、取付部１３に下端が互いに向合う方向にスライド可能に取付けられる第１、第２の筒型スライドユニット２１、２２と、駆動ローラ３１に一方の端部が固定されてから第１の筒型スライドユニット２１の下端のガイドローラ３３ａに掛けられ、第１の筒型スライドユニット２１の中で他方の端部が固定される第１のベルト３８ａと、駆動ローラ３１に一方の端部が固定されてから第２の筒型スライドユニット２２の下端のガイドローラ３３ｂに掛けられ、第２の筒型スライドユニット２２の中で他方の端部が固定される第２のベルト３８ｂとを備えることとした。【選択図】図１
2008161613.tif 000002
【特許請求の範囲】
【請求項１】
被固定体に固定される固定ブラケットと、前記固定ブラケットの下方に設けられ被吊下げ体が取付けられる取付部と、前記固定ブラケットに傾斜可能に吊下げられ、前記取付部に下端が互いに向合う方向にスライド可能に取付けられる第１と第２の筒型スライドユニットと、前記第１と第２の筒型スライドユニット間で前記固定ブラケットに取付けられる駆動ローラと、前記駆動ローラに一方の端部が固定されてから前記第１の筒型スライドユニットの下端に取付けられるガイドローラに掛けられ、前記第１の筒型スライドユニットの中を通り他方の端部が固定される第１のベルトまたはワイヤと、前記駆動ローラに一方の端部が固定されてから前記第２の筒型スライドユニットの下端に取付けられるガイドローラに掛けられ、前記第２の筒型スライドユニットの中を通り他方の端部が固定される第２のベルトまたはワイヤとを備えたことを特徴とする吊下げ式昇降装置。
【請求項２】
前記吊下げ式昇降装置は、連動可能に平行して２個設け、平行して設けられる２個の前記取付部に前記被固定体を取付けることを特徴とする請求項１に記載の昇降引出装置。
【請求項３】
前記取付部は、前記被吊下げ体として物干し竿を取付けることを特徴とする請求項１または２に記載の吊下げ式昇降装置。
【請求項４】
前記物干し竿が取付けられる竿受部は、取付けられた前記物干し竿に過負荷が下方にかかったとき、下方に取除かれることを特徴とする請求項３に記載の昇降引出装置。
【発明の詳細な説明】
【技術分野】
【０００１】  本発明は、吊下げられる物干し竿などを下降したとき安定的にする吊下げ式昇降装置に関する。
【背景技術】
【０００２】  従来の吊下げ式昇降装置には、天井に固定される天井固定ブラケットにパンタグラフが釣下げられ、複数の物干し竿が取付けられる物干し竿の取付部がパンタグラフに取付けられ、物干し竿の取付部をモータ駆動により昇降させる昇降式物干し装置がある（例えば、特許文献１参照）。【０００３】
【特許文献１】  特開平０８−１１２４９５号公報
【発明の開示】
【発明が解決しようとする課題】
【０００４】  しかしながら、従来の吊下げ式昇降装置は、モータ駆動により同時に複数の物干し竿を昇降させることができるが、昇降機構にパンタグラフを使用しているため、取付けられる端部側の物干し竿は下降したとき上下方向に強度が弱く不安定であり、また、水平方向にも強度が弱く不安定であり、物干し竿に洗濯物などを取付け難いという問題があった。
本発明は、上記に鑑みてなされたものであって、吊下げられる物干し竿などを下降したとき安定的にすることができる吊下げ式昇降装置を提供することを目的とする。
【課題を解決するための手段】
【０００５】  本発明の吊下げ式昇降装置は、被固定体に固定される固定ブラケットと、前記固定ブラケットの下方に設けられ被吊下げ体が取付けられる取付部と、前記固定ブラケットに傾斜可能に吊下げられ、前記取付部に下端が互いに向合う方向にスライド可能に取付けられる第１と第２の筒型スライドユニットと、前記第１と第２の筒型スライドユニット間で前記固定ブラケットに取付けられる駆動ローラと、前記駆動ローラに一方の端部が固定されてから前記第１の筒型スライドユニットの下端に取付けられるガイドローラに掛けられ、前記第１の筒型スライドユニットの中を通り他方の端部が固定される第１のベルトまたはワイヤと、前記駆動ローラに一方の端部が固定されてから前記第２の筒型スライドユニットの下端に取付けられるガイドローラに掛けられ、前記第２の筒型スライドユニットの中を通り他方の端部が固定される第２のベルトまたはワイヤとを備えることとした。
また、前記吊下げ式昇降装置は、連動可能に平行して２個設け、平行して設けられる２個の前記取付部に前記被固定体を取付けることとした。
また、前記取付部は、前記被吊下げ体として物干し竿を取付けることとした。
さらに、前記物干し竿が取付けられる竿受部は、取付けられた前記物干し竿に過負荷が下方にかかったとき、下方に取除かれることとした。
【発明の効果】
【０００６】  本発明の吊下げ式昇降装置は、被固定体に固定される固定ブラケットと、前記固定ブラケットの下方に設けられ被吊下げ体が取付けられる取付部と、前記固定ブラケットに傾斜可能に吊下げられ、前記取付部に下端が互いに向合う方向にスライド可能に取付けられる第１と第２の筒型スライドユニットと、前記第１と第２の筒型スライドユニット間で前記固定ブラケットに取付けられる駆動ローラと、前記駆動ローラに一方の端部が固定されてから前記第１の筒型スライドユニットの下端に取付けられるガイドローラに掛けられ、前記第１の筒型スライドユニットの中を通り他方の端部が固定される第１のベルトまたはワイヤと、前記駆動ローラに一方の端部が固定されてから前記第２の筒型スライドユニットの下端に取付けられるガイドローラに掛けられ、前記第２の筒型スライドユニットの中を通り他方の端部が固定される第２のベルトまたはワイヤとを備えることとしたため、被吊下げ体を簡潔構造で昇降し、取付部が下降したとき上下方向にも水平方向にも安定的にすることができる。
また、前記吊下げ式昇降装置は、連動可能に平行して２個設け、平行して設けられる２個の前記取付部に前記被固定体を取付けることとしたため、取付部が下降したとき複数の被吊下げ体をより上下方向にも水平方向にも安定的にすることができる。
また、前記取付部は、前記被吊下げ体として物干し竿を取付けることとしたため、物干し竿は安定的に取付けられ、洗濯ものなどを装着を容易にすることができる。
さらに、前記物干し竿が取付けられる竿受部は、取付けられた前記物干し竿に過負荷が下方にかかったとき、下方に取除かれることとしたため、物干し竿に過負荷がかかっても下方に取除くことができ、安全性の向上に寄与するとともに、装置の保護も行うことができる。
【発明を実施するための最良の形態】
【０００７】  以下、本発明の実施の形態の昇降引出装置につき説明する。
【実施例１】
【０００８】  図１は、本発明の実施の形態の吊下げ式昇降装置の側面図を示す。
本発明の実施の形態の吊下げ式昇降装置１０は、物干し竿１１を昇降するもので、図１は、物干し竿の取付部１３を下降させたときの側面図を示す。図１に示すように、吊下げ式昇降装置１０は、被固定体である天井に固定される下面が開口した断面コの字形状の固定ブラケット１２と、固定ブラケット１２の下方に設けられ物干し竿１１が取付けられる上面が開口した断面コの字形状の物干し竿の取付部１３と、固定ブラケット１２に上端で傾斜可能に吊下げられ、物干し竿の取付部１３に下端が互いに向合う方向にスライド可能に取付けられる第１の筒型スライドユニット２１と第２の筒型スライドユニット２２と、ベルト駆動機構３０とで構成されている。第１の筒型スライドユニット２１は、外筒２１ａと、外筒２１ａの内部をスライドする内筒２１ｂとで形成され、第２の筒型スライドユニット２２は、外筒２２ａと、外筒２２ａの内部をスライドする内筒２２ｂとで形成されている。
第１の筒型スライドユニット２１は、ブラケット２３ａを介し取付けられたピン２３により、上端で傾斜可能に吊下げられ、また、下端にはガイドローラ３３ａが取付けられ、ガイドローラ３３ａのピン３４ａが物干し竿の取付部１３の側面に形成されたＬ字形のスライド溝１４ａに沿って移動でき、下端が物干し竿の取付部１３にスライド可能に取付けられている。また、第２の筒型スライドユニット２２も同様に、上端で傾斜可能に吊下げられ、また、ガイドローラ３３ｂのピン３４ｂが物干し竿の取付部１３の側面に形成されたＬ字形のスライド溝１４ｂに沿って移動でき、下端が物干し竿の取付部１３にスライド可能に取付けられている。
ベルト駆動機構３０は、第１、第２の筒型スライドユニット２１、２２の間で固定ブラケット１２の側面の外側に取付けられた駆動モータ３６により駆動する駆動ローラ３１と、固定ブラケット１２に取付けられるガイドローラ３２ａ、３２ｂと、第１、第２のベルト３８ａ、３８ｂとで構成されている。
駆動モータ３６は、ＤＣモータ３６ａと、ＤＣモータ３６ａの回転数を減速しトルクを増大する減速器３６ｂとにより構成され、減速器３６ｂの回転軸３１ａに駆動ローラ３１が取付けられている。駆動ローラ３１は、第１、第２のベルト３８ａ、３８ｂを巻付け、巻戻しを行うもので、第１のベルト３８ａは、駆動ローラ３１に一方の端部が固定されてからガイドローラ３２ａとガイドローラ３３ａとに掛けられ、第１の筒型スライドユニット２１の中を通り他方の端部が第１の筒型スライドユニット２１の上端で固定され、第２のベルト３８ｂは、駆動ローラ３１に一方の端部が固定されてからガイドローラ３２ｂとガイドローラ３３ｂとに掛けられ、第２の筒型スライドユニット２２の中を通り他方の端部が第２の筒型スライドユニット２２の上端で固定されている。
物干し竿の取付部１３の下側には複数の竿受部１１ａが取付けられ、物干し竿１１は、竿受部１１ａに装着することができる。【０００９】  駆動モータ３６は、上昇スイッチ３９ａと下降スイッチ３９ｂとを有する壁面などに設けられる操作スイッチ３９に接続し、上昇スイッチ３９ａが操作されると矢印Ｕに示すように回動し、駆動ローラ３３が第１、第２のベルト３８ａ、３８ｂを巻付け、下降スイッチ３９ｂが操作されると矢印Ｕに示すように逆転回動し、駆動ローラ３１を逆転回動させ駆動ローラ３３に巻かれている第１、第２のベルト３８ａ、３８ｂの巻戻しが行われる。そのため、操作スイッチ３９が操作され、駆動モータ３６が駆動すると、駆動ローラ３１により第１、第２のベルト３８ａ、３８ｂの巻付け巻戻しが行われ、物干し竿の取付部１３を昇降することができる。【００１０】  図２は、本発明の実施の形態の吊下げ式昇降装置の正面図を示す。
図２は、物干し竿１１を下降させたときの正面図を示す。図２に示すように、本発明の実施の形態の吊下げ式昇降装置１０は、両端に駆動ローラ３１がそれぞれ取付けられ、駆動モータ３６の減速器３６ｂにより回動する回転軸３１ａに平行に２個連結されている。
吊下げ式昇降装置１０は、固定ブラケット１２に傾斜可能に第１、第２の筒型スライドユニット２１、２２が吊下げられ、第１、第２の筒型スライドユニット２１、２２を互いに向合う方向にスライド可能に物干し竿の取付部１３が取付けられている。それぞれの吊下げ式昇降装置１０の物干し竿の取付部１３の下側には竿受部１１ａが取付けられ、吊下げ式昇降装置１０の間に物干し竿１１を装着することができる。【００１１】  図３は、本発明の実施の形態の吊下げ式昇降装置に取付けられる筒型スライドユニットの断面図を示す。
図３は、図１に示す第１の筒型スライドユニット２１のＡＡ断面図を示す。図３に示すように、第１の筒型スライドユニット２１は、外筒２１ａと、外筒２１ａにスライド可能に内装される内筒２１ｂとで形成されている。外筒２１ａの内側にはスライド溝２５ａ付のスライド取付部２５が長手方向に４箇所形成され、内筒２１ｂの外側にはスライド溝２６ａ付のスライド取付部２６がスライド取付部２５と対向して長手方向に４箇所形成され、それぞれのスライド溝２５ａとスライド溝２６ａにはスライダ２７が嵌められている。そのため第１の筒型スライドユニット２１は、内筒２１ｂが外筒２１ａの内側をスライドすることができる。また、図１に示す第２の筒型スライドユニット２２も同様に構成されている。なお、スライド取付部２６とスライド取付部２５とは長手方向に４箇所形成したが、これに限定することなく、３個または５個以上とすることができ、また、第１、第２の筒型スライドユニット２１、２２も円筒形に限らず四角形などにすることもできる。
第１、第２の筒型スライドユニット２１、２２の外筒２１ａ、２２ａには、ビス穴２８が形成されている。このビス穴２８により、第１、第２の筒型スライドユニット２１、２２を吊下げるブラケット２３ａが取付けられる。【００１２】  図４は、本発明の実施の形態の吊下げ式昇降装置で物干し竿の取付部を上昇させたときの側面図を示す。
図４に示すように、本発明の実施の形態の吊下げ式昇降装置１０は、天井に固定される固定ブラケット１２と物干し竿の取付部１３との間に設置された第１の筒型スライドユニット２１と第２の筒型スライドユニット２２が設けられている。第１、第２の筒型スライドユニット２１、２２は、ベルト駆動機構３０の第１、第２のベルト３８ａ、３８ｂの巻付けにより、下端のそれぞれに設けられたガイドローラ３３ａ、３３ｂのピン３４ａ、３４ｂが物干し竿の取付部１３の側面に形成されたＬ字形のスライド溝１４ａ、１４ｂに沿って内側に移動するとともに、図１に示す内筒２１ｂ、２２ｂが外筒２１ａ、２２ａの内部を上方にスライド移動し、第１、第２の筒型スライドユニット２１、２２が短縮して水平となり、物干し竿の取付部１３は上昇している。【００１３】  次に、本発明の実施の形態の吊下げ式昇降装置１０の昇降動作につき図１、２、４により説明する。
操作スイッチ３９の下降スイッチ３９ｂが操作されたときには、図１、２に示すように、駆動ローラ３１が矢印Ｄに示すように回動して駆動ローラ３１に巻かれている第１、第２のベルト３８ａ、３８ｂは巻戻される。そのため、第１、第２の筒型スライドユニット２１、２２は、ガイドローラ３３ａ、３３ｂのピン３４ａ、３４ｂが物干し竿の取付部１３の側面に形成されたＬ字形のスライド溝１４ａ、１４ｂに沿って外側に移動するとともに、内筒２１ｂ、２２ｂが外筒２１ａ、２２ａの内部を下方にスライド移動して垂直となり、物干し竿の取付部１３は下昇状態となる。
次に、操作スイッチ３９の上降スイッチ３９ａが操作されたときには、図４に示すように、駆動ローラ３１が矢印Ｕに示すように回動して駆動ローラ３１に巻かれている第１、第２のベルト３８ａ、３８ｂは巻付けられる。そのため、図１に示すように第１、第２の筒型スライドユニット２１、２２は、ガイドローラ３３ａ、３３ｂのピン３４ａ、３４ｂが物干し竿の取付部１３の側面に形成されたＬ字形のスライド溝１４ａ、１４ｂに沿って内側に移動して上昇するとともに、内筒２１ｂ、２２ｂが外筒２１ａ、２２ａの内部を上方にスライド移動して水平となり、物干し竿の取付部１３は上昇状態となる。
なお、図１、図２に示すように、物干し竿の取付部１３の両端にはコンストンバネ４１が取付けられ第１、第２の筒型スライドユニット２１、２２の下端は外側に引っ張られているため、物干し竿の取付部１３の下降を容易とすることができる。また、物干し竿の取付部１３が下降したときには、コンストンバネ４１により第１、第２の筒型スライドユニット２１、２２の下端を保持し、また、第１、第２の筒型スライドユニット２１、２２の側面は固定ブラケット１２の下端の固定部１２ａに当接するため、物干し竿の取付部１３を水平方向に固定状態にでき水平方向に安定させることができる。
また、また、物干し竿の取付部１３が下降したときには、第１、第２の筒型スライドユニット２１、２２は垂直となるため、物干し竿の取付部１３を垂直方向に強固の状態にでき垂直方向に安定させることもできる。【００１４】  以上述べたように、本発明の実施の形態の吊下げ式昇降装置１０は、物干し竿１１を簡潔構造で昇降することができ、物干し竿の取付部１３は下降したとき上下方向にも水平方向にも安定し、物干し竿１１に洗濯ものなどを容易に装着することができる。【００１５】  図５は、本発明の実施の形態の吊下げ式昇降装置に取付ける竿受部の他の実施例の側面図を示し、図５（ａ）は、引掛式の竿受部の側面図を示し、図５（ｂ）は、両挟式の竿受部の側面図を示し、図５（ｃ）は、スプリング使用の両挟式の竿受部の側面図を示す。
図５（ａ）に示すように、引掛式の竿受部５１は、側面がＪ形状をしており取付部５２により物干し竿の取付部１３に固定され、物干し竿１１を装着することができるが、弾性体で形成されているため、物干し竿１１の下方に過負荷がかかったとき、物干し竿１１を下方に取除くことができる。
図５（ｂ）に示すように、両挟式の竿受部５３は、物干し竿１１を挟み保持するよう下端が互いに内側を向いた挟み部５３ａ、５３ｂで形成され取付部５４により物干し竿の取付部１３に固定され、物干し竿１１を装着することができるが、挟み部５３ａ、５３ｂが弾性体で形成されているため、物干し竿１１の下方に過負荷がかかったとき、物干し竿１１を下方に取除くことができる。
図５（ｃ）に示すように、スプリング使用の両挟式の竿受部５５は、物干し竿１１を挟み保持するよう下端が互いに内側を向きスプリング５７で内側に引張られピン５８により回転可能の挟み部５５ａ、５５ｂで形成され、取付部５６により物干し竿の取付部１３に固定され、物干し竿１１を装着することができるが、挟み部５３ａ、５３ｂが回転可能で互いに内側に引張られているため、物干し竿１１の下方に過負荷がかかったとき、物干し竿１１を下方に取除くことができる。
そのため、上記した他の実施例の竿受部は、物干し竿１１に子供や物が挟まったり吊下がったりの過負荷がかかったとき、物干し竿１１を下方に取除くことができ、安全性の向上に寄与するとともに、装置の保護も行うことができる。【００１６】  なお、本発明の実施の形態の吊下げ式昇降装置は、昇降機構にベルトを使用することとしたが、ワイヤなどを使用することもできる。
また、筒型スライドユニット２１、２２は、外筒と内筒との間にスライダを設けることとしたが、スライダに代えてローラを設けるようにすることもできる。
また、筒型スライドユニット２１、２２は、断面を環状形状としたが、角型形状とすることもできる。
また、上記の実施例では、吊下げ式昇降装置１０は、駆動モータ３６により回動する回転軸３１ａで平行に２個連結して使用することとしたが、本発明の吊下げ式昇降装置は、単体で物干し竿を装着して使用することもできる。
さらに、上記の実施例では、取付部１３に物干し竿１１を取付ける例につき説明したが、本発明の吊下げ式昇降装置は、物干し竿に限らず吊戸棚などの昇降にも使用することができる。
【図面の簡単な説明】
【００１７】
【図１】  本発明の実施の形態の吊下げ式昇降装置の側面図を示す。
【図２】  本発明の実施の形態の吊下げ式昇降装置の正面図を示す。
【図３】  本発明の実施の形態の吊下げ式昇降装置に取付けられる筒型スライドユニットの断面図を示す。
【図４】  本発明の実施の形態の吊下げ式昇降装置で物干し竿の取付部を上昇させたときの側面図を示す。
【図５】  本発明の実施の形態の吊下げ式昇降装置に取付ける竿受部の他の実施例の側面図を示し、図５（ａ）は、引掛式の竿受部の側面図を示し、図５（ｂ）は、両挟式の竿受部の側面図を示し、図５（ｃ）は、スプリング使用の両挟式の竿受部の側面図を示す。
【符号の説明】
【００１８】  １０  吊下げ式昇降装置
１１  物干し竿
１２  固定ブラケット
１３  物干し竿の取付部
１４ａ、１４ｂ  スライド溝
２１  第１の筒型スライドユニット
２２  第２の筒型スライドユニット
３０  ベルト駆動機構
３１  駆動ローラ
３１ａ  回転軸
３２ａ、３２ｂ、３３ａ、３３ｂ  ガイドローラ
３４ａ、３４ｂ  ピン
３６  駆動モータ
３８ａ  第１のベルト
３８ｂ  第２のベルト
３９  操作スイッチ
２１ａ  外筒
２１ｂ  内筒
２７  スライダ
４１  コンストンバネ
５１  引掛式の竿受部
５３  両挟式の竿受部
５５  両挟式の竿受部
【図１】
2008161613.tif 000003
【図２】
2008161613.tif 000004
【図３】
2008161613.tif 000005
【図４】
2008161613.tif 000006
【図５】
2008161613.tif 000007